(57)【要約】【課題】作動音に起因して使用者に与える不快感を的確に低減することのできる電気かみそりを提供する。【解決手段】電気かみそり１は、複数の刃片が幅方向Ｙに沿って列設される内刃部と、複数の刃片をその外側から覆うように設けられる外刃部とを有する刃ブロック４〜７と、外刃部に対して内刃部を幅方向Ｙに往復動させる駆動装置とを備える。また、刃ブロック４〜７の側面を覆うとともに該電気かみそり１の最も外側に位置するハウジング８を有する。ハウジング８において幅方向Ｙに沿って延びる壁部を第１壁部８１とし、幅方向Ｙに対して直交する前後方向Ｘに延びる壁部を第２壁部８５とするとき、ハウジング８を構成する第２壁部８５の厚さｔ２は全体として第１壁部８１の厚さｔ１よりも小さくされる。【選択図】図３
2012065868.tif 000002
【特許請求の範囲】
【請求項１】
複数の刃片が所定方向に沿って列設される内刃部と、前記複数の刃片をその外側から覆うように設けられる外刃部とを有する刃ブロックと、前記外刃部に対して前記内刃部を前記所定方向に往復動させる駆動部と、を備える電気かみそりにおいて、
前記刃ブロックの側面を覆うとともに該電気かみそりの最も外側に位置するハウジングを有し、
前記ハウジングにおいて前記所定方向に沿って延びる壁部を第１壁部とし、前記所定方向に対して直交する方向に延びる壁部を第２壁部とするとき、
前記ハウジングは、前記第２壁部の剛性が前記第１壁部の剛性よりも低くされる剛性差構造を有してなる
ことを特徴とする電気かみそり。
【請求項２】
請求項１に記載の電気かみそりにおいて、
前記剛性差構造は、前記第２壁部の厚さが前記第１壁部の厚さよりも小さくされてなる
ことを特徴とする電気かみそり。
【請求項３】
請求項２に記載の電気かみそりにおいて、
前記第２壁部の厚さは全体として前記第１壁部の厚さよりも小さくされてなる
ことを特徴とする電気かみそり。
【請求項４】
請求項２に記載の電気かみそりにおいて、
前記第２壁部の一部には、前記第２壁部の他の部位よりも薄い薄肉部が形成されてなる
ことを特徴とする電気かみそり。
【請求項５】
請求項４に記載の電気かみそりにおいて、
前記刃ブロックは前記所定方向に対して直交する方向に沿って複数並設され、
前記複数の刃ブロックは網目状の外刃からなる網目状外刃部を有する網目状刃ブロックと、スリット状の外刃からなるスリット状外刃部を有するスリット状刃ブロックとを含み、
前記薄肉部は、前記所定方向に対して直交する方向において前記網目状外刃部に対応する位置に形成されてなる
ことを特徴とする電気かみそり。
【請求項６】
請求項２に記載の電気かみそりにおいて、
前記第１壁部の一部には、前記第１壁部の他の部位よりも厚い厚肉部が形成されてなる
ことを特徴とする電気かみそり。
【請求項７】
請求項１〜請求項５のいずれか一項に記載の電気かみそりにおいて、
前記剛性差構造は、前記第２壁部を構成する材料が前記第１壁部を構成する材料よりも低剛性のものとされてなる
ことを特徴とする電気かみそり。
【請求項８】
請求項７に記載の電気かみそりにおいて、
前記第２壁部を構成する材料は全体として前記第１壁部を構成する材料よりも低剛性のものとされてなる
ことを特徴とする電気かみそり。
【請求項９】
請求項７に記載の電気かみそりにおいて、
前記第２壁部の一部には、前記第２壁部の他の部位よりも低剛性の材料により形成される低剛性材料部が形成されてなる
ことを特徴とする電気かみそり。
【請求項１０】
請求項９に記載の電気かみそりにおいて、
前記刃ブロックは前記所定方向に対して直交する方向に沿って複数並設され、
前記複数の刃ブロックは網目状の外刃からなる網目状外刃部を有する網目状刃ブロックと、スリット状の外刃からなるスリット状外刃部を有するスリット状刃ブロックとを含み、
前記低剛性材料部は、前記所定方向に対して直交する方向において前記網目状外刃部に対応する位置に形成されてなる
ことを特徴とする電気かみそり。
【請求項１１】
請求項７に記載の電気かみそりにおいて、
前記第１壁部の一部には、前記第１壁部の他の部位よりも高剛性の材料により形成される高剛性材料部が形成されてなる
ことを特徴とする電気かみそり。
【発明の詳細な説明】
【技術分野】
【０００１】
本発明は、往復動式の電気かみそりに関する。
【背景技術】
【０００２】
従来、この種の電気かみそりとしては、例えば特許文献１に記載のものがある。特許文献１に記載の電気かみそりも含めて従来一般の電気かみそりは、略Ｕ字状をなす複数の刃片が所定方向に沿って列設される内刃部と、内刃部をその外側から覆うように設けられる外刃部と、上記内刃部を上記所定方向に往復動させる駆動部とを備えている。そして、外刃部を通じてその内部に導入された髭は、同外刃部と内刃部を構成する刃片の刃先とにより挟み込まれることにより切断される。
【０００３】
ここで、こうした電気かみそりにあっては、ばね等により内刃部を外刃部に向けて付勢して内刃部の外周と外刃部の内周とを近接した状態に維持することで、より短い髭の切断を可能としている。またこれに併せて、駆動部と内刃部との間には、駆動部に連結されるとともに、同内刃部を挟んで上記外刃部とは反対側を所定の自由度をもって揺動可能に支持する支持部が設けられている。これにより、外刃部の内周に対して内刃部の外周が片当たりする状態に維持されてしまうことが抑制されるようになっている。
【０００４】
ところで、こうした電気かみそりにあっては、その作動音によって使用者に不快感を与えるおそれがある。これに対して、従来、例えば特許文献２に記載の電気かみそりでは、モータの回転出力を往復直線運動に変換する偏心カム及び振動子を収容する伝動室の内壁に弾性被膜層を形成するようにしている。これにより、偏心カムや振動子の作動音の音圧を低減するようにしている。
【先行技術文献】
【特許文献】
【０００５】
【特許文献１】特開２００８―１４２２７４号公報
【特許文献２】特開昭６３−３１８９８８号公報
【発明の概要】
【発明が解決しようとする課題】
【０００６】
ところで、上述したように、電気かみそりから生じる作動音についてその音圧を低減することにより使用者に与える不快感をある程度は低減することができるようになる。しかしながら、電気かみそりの作動音には、使用者が不快に感じる周波数域とそうでない周波数域とが存在することから、このことを考慮することなく単に作動音の音圧レベルを低減する従来の電気かみそりにあっては、使用者に与える不快感を的確に低減する上では、尚、改善の余地を残すものとなっている。
【０００７】
本発明は、こうした実情に鑑みてなされたものであり、その目的は、作動音に起因して使用者に与える不快感を的確に低減することのできる電気かみそりを提供することにある。
【課題を解決するための手段】
【０００８】
以下、上記課題を解決するための手段及びその作用効果について記載する。
本発明に係る電気かみそりは、複数の刃片が所定方向に沿って列設される内刃部と、前記複数の刃片をその外側から覆うように設けられる外刃部とを有する刃ブロックと、前記外刃部に対して前記内刃部を前記所定方向に往復動させる駆動部と、を備える電気かみそりにおいて、前記刃ブロックの側面を覆うとともに該電気かみそりの最も外側に位置するハウジングを有し、前記ハウジングにおいて前記所定方向に沿って延びる壁部を第１壁部とし、前記所定方向に対して直交する方向に延びる壁部を第２壁部とするとき、前記ハウジングは、前記第２壁部の剛性が前記第１壁部の剛性よりも低くされる剛性差構造を有してなることを特徴としている。
【０００９】
この電気かみそりにおいて、前記剛性差構造は、前記第２壁部の厚さが前記第１壁部の厚さよりも小さくされてなるといった態様を採用することが好ましい。
またこの場合、この電気かみそりにおいて、前記第２壁部の厚さは全体として前記第１壁部の厚さよりも小さくされてなるといった態様を採用することが好ましい。
【００１０】
また、この電気かみそりにおいて、前記第２壁部の一部には、前記第２壁部の他の部位よりも薄い薄肉部が形成されてなるといった態様を採用することが好ましい。
またこの場合、この電気かみそりにおいて、前記刃ブロックは前記所定方向に対して直交する方向に沿って複数並設され、前記複数の刃ブロックは網目状の外刃からなる網目状外刃部を有する網目状刃ブロックと、スリット状の外刃からなるスリット状外刃部を有するスリット状刃ブロックとを含み、前記薄肉部は、前記所定方向に対して直交する方向において前記網目状外刃部に対応する位置に形成されてなるといった態様を採用することが好ましい。
【００１１】
この電気かみそりにおいて、前記剛性差構造は、前記第２壁部を構成する材料が前記第１壁部を構成する材料よりも低剛性のものとされてなるといった態様を採用することが好ましい。
【００１２】
またこの場合、この電気かみそりにおいて、前記第２壁部を構成する材料は全体として前記第１壁部を構成する材料よりも低剛性のものとされてなるといった態様を採用することが好ましい。
【００１３】
また、この電気かみそりにおいて、前記第２壁部の一部には、前記第２壁部の他の部位よりも低剛性の材料により形成される低剛性材料部が形成されてなるといった態様を採用することが好ましい。
【００１４】
またこの場合、この電気かみそりにおいて、前記刃ブロックは前記所定方向に対して直交する方向に沿って複数並設され、前記複数の刃ブロックは網目状の外刃からなる網目状外刃部を有する網目状刃ブロックと、スリット状の外刃からなるスリット状外刃部を有するスリット状刃ブロックとを含み、前記低剛性材料部は、前記所定方向に対して直交する方向において前記網目状外刃部に対応する位置に形成されてなるといった態様を採用することが好ましい。
【００１５】
また、この電気かみそりにおいて、前記第１壁部の一部には、前記第１壁部の他の部位よりも高剛性の材料により形成される高剛性材料部が形成されてなるといった態様を採用することが好ましい。
【発明の効果】
【００１６】
本発明によれば、作動音に起因して使用者に与える不快感を的確に低減することのできる電気かみそりを提供することができる。
【図面の簡単な説明】
【００１７】
【図１】本発明に係る電気かみそりの第１実施形態について、（ａ）電気かみそりの斜視構造を示す斜視図、（ｂ）電気かみそりのヘッド部の斜視構造を示す斜視図。
【図２】第１実施形態の電気かみそりについて、外刃部及び内刃部を中心とした縦断面構造を示す断面図であって、（ａ）内刃部が中立位置にある状態を示す断面図、（ｂ）内刃部が往復振動範囲の一端にある状態を示す断面図。
【図３】第１実施形態のハウジングを中心とした横断面構造を断面図。
【図４】第２実施形態のハウジングを中心とした横断面構造を断面図。
【図５】第３実施形態のハウジングを中心とした横断面構造を断面図。
【図６】第４実施形態のハウジングを中心とした横断面構造を断面図。
【図７】第５実施形態のハウジングを中心とした横断面構造を断面図。
【図８】第６実施形態のハウジングを中心とした横断面構造を断面図。
【図９】第７実施形態のハウジングを中心とした横断面構造を断面図。
【発明を実施するための形態】
【００１８】
＜第１実施形態＞
以下、図１〜図３を参照して本発明に係る電気かみそりを髭用電気かみそりとして具体化した第１実施形態について説明する。
【００１９】
図１（ａ）に、本実施形態の電気かみそりの斜視構造を示す。また、図１（ｂ）に、電気かみそりのヘッド部の斜視構造を拡大して示す。
図１（ａ）に示すように、電気かみそり１は、使用者が把持可能な把持部２と、同把持部２の一端に連結されるヘッド部３とを備えている。
【００２０】
把持部２の内部には、駆動装置９に対して給電を行なうためのバッテリ（図示略）が設けられている。
図１（ｂ）に示すように、ヘッド部３は、外刃部と内刃部とをそれぞれ有する４つの刃ブロック４〜７と、これら刃ブロック４〜７の側面を覆うとともに電気かみそり１の最も外側に位置するハウジング８とを備えている。
【００２１】
また、ヘッド部３には、これら内刃部を所定方向に往復振動させるための駆動装置９が設けられている。駆動装置９は、内刃部４５を１分間に１４０００回往復振動させるリニアモータ９１を備えている（駆動装置９及びリニアモータ９１については図２参照）。そして、把持部２の外側面に設けられる操作スイッチ１０をオン操作すると、バッテリから給電が行なわれてリニアモータ９１が作動することで駆動装置９が駆動される。
【００２２】
尚、以降においては、電気かみそり１の剃り方向を「前後方向Ｘ」と称し、前後方向Ｘに直交する方向であって刃ブロック４〜７の延びる方向を「幅方向Ｙ」と称し、これら前後方向Ｘ及び幅方向Ｙの双方に直交する方向を「上下方向Ｚ」と称する。また、幅方向Ｙが本発明における所定方向に相当する。
【００２３】
４つの刃ブロック４〜７はヘッド部３の頂部において前後方向Ｘに並設されており、所謂、４枚刃の電気かみそり１として構成されている。具体的には、第１の網目状刃ブロック４、第２の網目状刃ブロック５、及び第３の網目状刃ブロック６は、網目状の外刃からなる外刃部をそれぞれ有している。ここで、第１の網目状刃ブロック４及び第２の網目状刃ブロック５は前後方向Ｘにおいて４つの刃ブロック４〜７のうちの両端にそれぞれ配置され、第３の網目状刃ブロック６は、これら刃ブロック４，５の間であって第１の網目状刃ブロック４に近接して配置されている。また、スリット状刃ブロック７は、スリット状の外刃からなる外刃部を有しており、第２の網目状刃ブロック５と第３の網目状刃ブロック６との間に配置されている。
【００２４】
ここで、図２を参照して、第１の網目状刃ブロック４の縦断面構造について説明する。
図２に、第１の網目状刃ブロック４の縦断面構造を示す。尚、図２（ａ）は、内刃部４５が中立位置にある状態を示しており、図２（ｂ）は、内刃部４５がその往復振動範囲における一端にある状態を示している。また、図２において、外刃部４１の幅方向Ｙにおける中心線を一点鎖線Ｃ１にて示し、内刃部４５の幅方向Ｙにおける中心線を二点鎖線Ｃ２にて示す。また、第２の網目状刃ブロック５は第１の網目状刃ブロック４と基本的には同一の構造を有しているため、第２の網目状刃ブロック５の説明については割愛する。
【００２５】
図２（ａ）に示すように、内刃部４５は、略Ｕ字状をなす複数の刃片４６が幅方向Ｙに沿って互いに等距離間隔にて列設されてなり、これら刃片４６はそれらの基端側において連結部４８に連結されている。また、外刃部４１は断面略Ｕ字状をなすとともに内刃部４５を外側から覆う形状を有している。また、外刃部４１の内周及び内刃部４５の外周は幅方向Ｙにおいてそれぞれ湾曲している。具体的には、内刃部４５の外周の曲率半径Ｒ２は、外刃部４１の内周の曲率半径Ｒ１よりも小さくされている。すなわち、内刃部４５の複数の刃片４６はそれらの先端が、円弧上に位置するものとなっている。
【００２６】
また、駆動装置９は、内刃部４５とリニアモータ９１の出力部との間であって幅方向Ｙにおける内刃部４５の中央位置に設けられる支持部９２を備えており、支持部９２により内刃部４５は所定の自由度をもって揺動可能に支持されている。具体的には、幅方向Ｙ及び上下方向Ｚの双方に平行な平面上に沿って揺動可能に支持されている。また、支持部９２と内刃部４５との間には、内刃部４５を上方に向けて、すなわち外刃部４１に向けて付勢するためのばね９３が設けられている。ばね９３の付勢力により、内刃部４５の外周と外刃部４１の内周とを近接した状態に維持することで、より短い髭の切断を可能としている。また、内刃部４５は支持部９２により所定の自由度をもって揺動可能に支持されているため、外刃部４１の内周に対して内刃部４５の外周が片当たりする状態に維持されてしまうことが抑制されるようになっている。
【００２７】
尚、ここでは図示を割愛するが、ヘッド部３の内部には、第３の網目状刃ブロック６及びスリット状刃ブロック７を構成する外刃部に対応して内刃部がそれぞれ設けられている。
【００２８】
こうした構成を備える電気かみそり１によれば、駆動装置９（リニアモータ９１）により内刃部が往復振動する際に、外刃部内に導入された髭を、内刃部をそれぞれ構成する刃片によって挟むことで該髭が切除される。
【００２９】
ところで、電気かみそり１の作動に伴い発生する音には、低い周波数の音と高い周波数の音とが存在する。ここで、図２（ｂ）に示すように、リニアモータ９１によって内刃部４５が往復動する際に、内刃部４５の一端が外刃部４１の内周に干渉することがあるが、内刃部４５及び外刃部４１は共にステンレス鋼、すなわち高剛性の材料により形成されていることから、これらが干渉することで高い周波数（具体的には、２ｋＨｚ以上）の音、所謂甲高い音が発生することとなる。
【００３０】
今回、電気かみそり１から生じる作動音のうちで、こうした高周波成分の音圧が相対的に大きい場合には、使用者に大きな不快感を与えることが発明者によって見出された。
そこで、本実施形態では、ハウジング８を以下に詳述する剛性差構造を有するものとすることで、作動音に起因して使用者に与える不快感を的確に低減するようにしている。
【００３１】
図３に、ハウジング８を中心とした横断面構造を示す。
図３に示すように、ハウジング８は断面略矩形の枠状をなすものである。
以降において、ハウジング８において幅方向Ｙに沿って延びる一対の壁部を第１壁部８１とし、前後方向Ｘに延びる一対の壁部を第２壁部８５とする。
【００３２】
図３に示すように、第１壁部８１及び第２壁部８５はそれぞれ均一の厚みを有しており、第２壁部８５の厚さｔ２は第１壁部８１の厚さｔ１よりも小さくされている（ｔ１＞ｔ２）。すなわち、ハウジング８は、第２壁部８５の剛性が第１壁部８１の剛性よりも低くされた剛性差構造を有している。
【００３３】
内刃部４５の往復動に伴い発生する音は、基本的には該往復動方向である幅方向Ｙに沿って伝播する。本実施形態では、その伝播方向の先に位置する第２壁部８５の剛性が第１壁部８１の剛性よりも低くされている。ここで、第２壁部８５の剛性を低くした場合、同第２壁部８５を音が伝播しやすくなるが、高周波成分の音圧は低周波成分の音圧に比べて減衰しやすいことから、第２壁部の剛性を第１壁部の剛性と同一とする従来一般の構成に比較して、第２壁部８５を通過して伝播する低周波成分の音圧（リニアモータ９１の駆動周波数である２３３Ｈｚ）が高周波成分（２ｋＨｚ以上）の音圧に対して相対的に大きくなる。
【００３４】
以上説明した本実施形態に係る電気かみそりによれば、以下に示す作用効果が得られるようになる。
（１）本実施形態では、電気かみそり１は、複数の刃ブロック４〜７の側面を覆うとともに該電気かみそり１の最も外側に位置するハウジング８を有し、ハウジング８を構成する第２壁部８５の厚さｔ２は全体として第１壁部８１の厚さｔ１よりも小さくされるものとしている。すなわち、ハウジング８は、第２壁部８５の剛性が第１壁部８１の剛性よりも低くされる剛性差構造を有してなるものとしている。これにより、第２壁部の剛性を第１壁部の剛性と同一とする従来一般の構成に比較して、第２壁部８５を通過して伝播する低周波成分の音圧（リニアモータ９１の駆動周波数である２３３Ｈｚ）を高周波成分（２ｋＨｚ以上）の音圧に対して相対的に大きくすることができるようになる。従って、作動音に起因して使用者に与える不快感を的確に低減することができるようになる。
【００３５】
（２）本実施形態では、第２壁部８５の厚さｔ２を全体として第１壁部８１の厚さｔ１よりも小さくすることにより、第２壁部８５の剛性を第１壁部８１の剛性よりも低くいものとしている。従って、第２壁部８５の厚さを第１壁部８１の厚さよりも小さくすることが容易となるとともに、上記剛性差構造を容易に具現化することができる。
【００３６】
＜第２実施形態＞
以下、図４を参照して本発明に係る電気かみそりの第２実施形態について説明する。
本実施形態では、ハウジング２０８を構成する第１壁部２８１及び第２壁部２８５の厚さを基本的には同一とする一方、第２壁部２８５に部分的に薄肉部２８６，２８７を設けている点が先の第１実施形態と異なっている。また、その他の構成については先の第１実施形態の構成と同一であるため重複する説明については割愛する。
【００３７】
図４に、ハウジング２０８を中心とした横断面構造を示す。
本実施形態のように、４つの刃ブロック４〜７が前後方向Ｘに沿って並設され、これら刃ブロック４〜７が網目状の外刃からなる網目状外刃部４１を有する網目状刃ブロック４〜６と、スリット状の外刃からなるスリット状外刃部を有するスリット状刃ブロック７とを含むものにあっては、これらのうち第１、２の網目状刃ブロック４、５を構成する網目状外刃部４１とこれらの内刃部との干渉に起因して生じる高い周波数（２ｋＨｚ以上）の音圧が特に問題となる。これは、前述したように、第１、２の網目状刃ブロック４、５を構成する内刃部が、幅方向Ｙにおける中央位置のみにて支持部９２により支持されているために、内刃部の揺動量が他の内刃部に比べて大きく、このことに起因して外刃部と内刃部との干渉度合が大きくなり、上記高周波成分の音圧が特に大きなものとなるためである。
【００３８】
図４に示すように、第１壁部２８１及び第２壁部２８５は、基本的には、所定の厚さｔ１を有している。ただし、第２壁部２８５の一部に、第２壁部２８５の他の部位よりも小さい厚さｔ３を有する薄肉部２８６，２８７が形成されている。具体的には、薄肉部２８６，２８７は、前後方向Ｘにおいて外刃部４１に対応する位置に形成されている。すなわち、ハウジング２０８は、第２壁部２８５の剛性が第１壁部２８１の剛性よりも低くされた剛性差構造を有している。
【００３９】
以上説明した本実施形態に係る電気かみそりによれば、以下に示す作用効果が得られるようになる。
（３）本実施形態では、第２壁部２８５の一部に、第２壁部２８５の他の部位よりも薄い薄肉部２８６，２８７が形成されるものとしている。具体的には、薄肉部２８６，２８７は、前後方向Ｘにおいて外刃部４１に対応する位置に形成されるものとしている。これにより、駆動周波数（２３３ｋＨｚ）の音圧の減衰を的確に抑制することができ、伝播する音のうち高い周波数（２ｋＨｚ以上）の音圧に対して低い周波数の音圧を相対的に大きくすることができるようになる。また、第２壁部２８５において上記他の部位は第１壁部２８１と同一の厚さｔ１とされているため、第２壁部２８５の不要な剛性低下を的確に抑制することができるようになる。
【００４０】
＜第３実施形態＞
以下、図５を参照して本発明に係る電気かみそりの第３実施形態について説明する。
本実施形態では、ハウジング３０８を構成する第１壁部３８１及び第２壁部３８５の厚さを基本的には同一とする一方、第１壁部３８１に部分的に厚肉部３８４を設けている点が先の第１実施形態と異なっている。また、その他の構成については先の第１実施形態の構成と同一であるため重複する説明については割愛する。
【００４１】
図５に、ハウジング３０８を中心とした横断面構造を示す。
本実施形態では、図５に示すように、第１壁部３８１及び第２壁部３８５は、基本的には、所定の厚さｔ１を有している。ただし、第１壁部３８１の一部に、第１壁部３８１の他の部位よりも大きい厚さｔ４を有する厚肉部３８４が形成されている。具体的には、厚肉部３８４は、幅方向Ｙにおける中央位置が外側に向けて突出した態様にて形成されている。すなわち、ハウジング３０８は、第１壁部３８１の剛性が第２壁部３８５の剛性よりも高くされた剛性差構造を有している。
【００４２】
以上説明した本実施形態に係る電気かみそりによれば、以下に示す作用効果が得られるようになる。
（４）本実施形態では、第１壁部３８１の一部に、第１壁部３８１の他の部位よりも厚い厚肉部３８４が形成されるものとしている。具体的には、厚肉部３８４は、幅方向Ｙにおける中央位置に形成されるものとしている。このように、第１壁部３８１の剛性が第２壁部３８５の剛性よりも高くされているため、第１壁部の剛性を第２壁部の剛性と同一とする従来一般の構成に比較して、第２壁部３８５から第１壁部３８１に伝わり、第１壁部３８１を通過して伝播する高い周波数（２ｋＨｚ以上）の音圧が好適に減衰されるようになる。これにより、伝播する音のうち駆動周波数（２３３Ｈｚ）の音圧に対して高い周波数の音圧を相対的に小さくすることができるようになる。従って、作動音に起因して使用者に与える不快感を的確に低減することができるようになる。
【００４３】
＜第４実施形態＞
以下、図６を参照して本発明に係る電気かみそりの第４実施形態について説明する。
本実施形態では、ハウジング４０８を構成する第１壁部４８１及び第２壁部４８５の厚さを同一とする一方、第２壁部４８５を構成する材料を全体として第１壁部４８１を構成する材料よりも低剛性のものとしている点が先の第１実施形態と異なっている。また、その他の構成については先の第１実施形態の構成と同一であるため重複する説明については割愛する。
【００４４】
図６に、ハウジング４０８を中心とした横断面構造を示す。
本実施形態では、図６に示すように、第１壁部４８１及び第２壁部４８５は、所定の厚さｔ１を有している。ただし、第１壁部４８１全体が樹脂材料、具体的にはプラスチック材料にて形成される一方、第２壁部４８５全体が該プラスチック材料よりも剛性の低いゴム材料にて形成されている。すなわち、ハウジング４０８は、第２壁部４８５の剛性が第１壁部４８１の剛性よりも低くされた剛性差構造を有している。
【００４５】
以上説明した本実施形態に係る電気かみそりによれば、以下に示す作用効果が得られるようになる。
（５）本実施形態では、第２壁部４８５を構成する材料は全体として第１壁部４８１を構成する材料よりも低剛性のものとしている。具体的には、第１壁部４８１全体がプラスチック材料にて形成される一方、第２壁部４８５全体がゴム材料にて形成されるものとしている。すなわち、ハウジング４０８は、第２壁部４８５の剛性が第１壁部４８１の剛性よりも低くされる剛性差構造を有してなるものとしている。これにより、第１壁部及び第２壁部を共にプラスチック材料にて形成してこれら壁部の剛性を同一とする従来一般の構成に比較して、第２壁部４８５を通過して伝播する駆動周波数（２３３Ｈｚ）の音圧を高周波数成分（２ｋＨｚ以上）の音圧に対して相対的に大きくすることができるようになる。従って、作動音に起因して使用者に与える不快感を的確に低減することができるようになる。
【００４６】
（６）本実施形態では、第１壁部４８１及び第２壁部４８５の厚さに差を設けるのではなく、第１壁部４８１及び第２壁部４８５を構成する材料を剛性の異なるものとすることにより、上記剛性差構造を具現化している。このため、上記剛性差構造を実現する上でハウジング４０８の体格を変更する必要がなく、電気かみそり１の外観、すなわち意匠性を損なうことがない。
【００４７】
＜第５実施形態＞
以下、図７を参照して本発明に係る電気かみそりの第５実施形態について説明する。
本実施形態では、ハウジング５０８を構成する第１壁部５８１及び第２壁部５８５の厚さを同一とする一方、第１壁部５８１を構成する材料を全体として第２壁部５８５を構成する材料よりも高剛性のものとしている点が先の第１実施形態と異なっている。また、その他の構成については先の第１実施形態の構成と同一であるため重複する説明については割愛する。
【００４８】
図７に、ハウジング５０８を中心とした横断面構造を示す。
本実施形態では、図７に示すように、第１壁部５８１及び第２壁部５８５は、所定の厚さｔ１を有している。ただし、第１壁部５８１全体が金属材料、具体的にはアルミニウム合金にて形成される一方、第２壁部５８５全体がプラスチック材料にて形成されている。すなわち、ハウジング５０８は、第１壁部５８１の剛性が第２壁部５８５の剛性よりも高くされた剛性差構造を有している。
【００４９】
以上説明した本実施形態に係る電気かみそりによれば、以下に示す作用効果が得られるようになる。
（７）本実施形態では、第１壁部５８１全体がアルミニウム合金にて形成される一方、第２壁部５８５全体がプラスチック材料にて形成されるものとしている。すなわち、ハウジング５０８は、第１壁部５８１の剛性が第２壁部５８５の剛性よりも高くされる剛性差構造を有してなるものとしている。これにより、第１壁部及び第２壁部を共にプラスチック材料にて形成してこれら壁部の剛性を同一とする従来一般の構成に比較して、第２壁部５８５から第１壁部５８１に伝わり、第１壁部５８１を通過して伝播する高い周波数（２ｋＨｚ以上）の音圧が好適に減衰されるようになる。これにより、伝播する音のうち駆動周波数（２３３Ｈｚ）の音圧に対して高い周波数の音圧を相対的に小さくすることができるようになる。従って、作動音に起因して使用者に与える不快感を的確に低減することができるようになる。
【００５０】
（８）本実施形態では、第１壁部５８１及び第２壁部５８５の厚さに差を設けるのではなく、第１壁部５８１及び第２壁部５８５を構成する材料を剛性の異なるものとすることにより、上記剛性差構造を具現化している。このため、上記剛性差構造を実現する上でハウジング５０８の体格を変更する必要がなく、電気かみそり１の外観、すなわち意匠性を損なうことがない。
【００５１】
＜第６実施形態＞
以下、図８を参照して本発明に係る電気かみそりの第６実施形態について説明する。
本実施形態では、第２壁部全体が低剛性材料にて形成されるのではなく、第２壁部の一部が低剛性材料にて形成されている点が先の第４実施形態と異なっている。また、その他の構成については先の第１実施形態の構成と同一であるため重複する説明については割愛する。
【００５２】
図８に、ハウジング６０８を中心とした横断面構造を示す。
本実施形態では、図８に示すように、第１壁部６８１及び第２壁部６８５は、所定の厚さｔ１を有している。また、第１壁部６８１は全体として樹脂材料、具体的にはプラスチック材料にて形成されている。また、第２壁部６８５は基本的には第１壁部６８１と同様にプラスチック材料にて形成されている。ただし、第２壁部６８５の一部に、該プラスチック材料よりも剛性の低いゴム材料にて形成される低剛性材料部６８６，６８７が形成されている。具体的には、低剛性材料部６８６，６８７は、前後方向Ｘにおいて外刃部４１に対応する位置に形成されるとともに、幅方向Ｙにおいて第２壁部６８５の全体に形成されている。すなわち、ハウジング６０８は、第２壁部６８５の剛性が第１壁部６８１の剛性よりも低くされた剛性差構造を有している。
【００５３】
以上説明した本実施形態に係る電気かみそりによれば、以下に示す作用効果が得られるようになる。
（８）本実施形態では、第２壁部６８５の一部に、第２壁部６８５の他の部位よりも低剛性の材料により形成される低剛性材料部６８６，６８７が形成されるものとしている。具体的には、低剛性材料部６８６，６８７は、前後方向Ｘにおいて外刃部４１に対応する位置に形成されるものとしている。これにより、駆動周波数（２３３ｋＨｚ）の音圧の減衰を的確に抑制することができ、伝播する音のうち高い周波数（２ｋＨｚ以上）の音圧に対して低い周波数の音圧を相対的に大きくすることができるようになる。また、第２壁部６８５において上記他の部位は第１壁部６８１と同一の材料（プラスチック材料）にて形成されているため、第２壁部６８５の不要な剛性低下を的確に抑制することができるようになる。
【００５４】
＜第７実施形態＞
以下、図９を参照して本発明に係る電気かみそりの第７実施形態について説明する。
本実施形態では、第１壁部全体が高剛性材料にて形成されるのではなく、第１壁部の一部が高剛性材料にて形成されている点が先の第５実施形態と異なっている。また、その他の構成については先の第１実施形態の構成と同一であるため重複する説明については割愛する。
【００５５】
図９に、ハウジング７０８を中心とした横断面構造を示す。
本実施形態では、図９に示すように、第１壁部７８１及び第２壁部７８５は、所定の厚さｔ１を有している。また、第２壁部７８５は全体として樹脂材料、具体的にはプラスチック材料にて形成されている。また、第１壁部７８１は基本的には第２壁部７８５と同様にプラスチック材料にて形成されている。ただし、第１壁部７８１の一部に、該プラスチック材料よりも剛性の高い金属材料、具体的にはアルミニウム合金にて形成される高剛性材料部７８４が形成されている。高剛性材料部７８４は、幅方向Ｙにおける中央位置に形成されるとともに、前後方向Ｘにおいて第１壁部７８１の全体に形成されている。すなわち、ハウジング７０８は、第１壁部７８１の剛性が部分的に高くされた剛性差構造を有している。
【００５６】
以上説明した本実施形態に係る電気かみそりによれば、以下に示す作用効果が得られるようになる。
（９）本実施形態では、第１壁部７８１の一部に、第２壁部７８５を構成する材料よりも高剛性の材料により形成される高剛性材料部７８４が形成されるものとしている。このように、第１壁部７８１の剛性が第２壁部７８５の剛性よりも高くされているため、第１壁部の剛性を第２壁部の剛性と同一とする従来一般の構成に比較して、第２壁部７８５から第１壁部７８１に伝わり、第１壁部７８１を通過して伝播する高い周波数（２ｋＨｚ以上）の音圧が好適に減衰されるようになる。これにより、伝播する音のうち駆動周波数（２３３Ｈｚ）の音圧に対して高い周波数の音圧を相対的に小さくすることができるようになる。従って、作動音に起因して使用者に与える不快感を的確に低減することができるようになる。
【００５７】
尚、本発明に係る電気かみそりは、上記各実施形態にて例示した構成に限定されるものではなく、これを適宜変更した例えば次のような形態として実施することもできる。
・上記各実施形態では、４枚刃の電気かみそり１について例示したが、本発明はこれに限られるものではなく、１枚刃〜３枚刃、或いは５枚刃以上の電気かみそりに対して適用可能である。
【００５８】
・上記第２実施形態では、第１の網目状刃ブロック４及び第２の網目状刃ブロック５が前後方向Ｘにおける両端に配置されるものについて例示した。また、薄肉部２８６，２８７が第２壁部２８５の前後方向Ｘにおける両端部にそれぞれ形成されるハウジング２０８について例示した。しかし、本発明はこれに限られるものではなく、第１の網目状刃ブロック４或いは第２の網目状刃ブロック５の配設位置を上記第２実施形態の位置から変更することもできる。またこの場合には、これら網目状刃ブロックの位置に対応して上記薄肉部を第２壁部に形成するようにすればよい。
【００５９】
・上記第３実施形態では、厚肉部３８４が第１壁部３８１の幅方向Ｙにおける中央位置に１つだけ形成されるものについて例示したが、これに代えて、第１壁部の幅方向Ｙに沿って複数の厚肉部を形成することもできる。
【００６０】
・上記第４実施形態では、第１壁部４８１全体がプラスチック材料にて形成される一方、第２壁部４８５全体がゴム材料にて形成されるハウジング４０８について例示した。これに代えて、第２壁部を上記第１壁部４８１を構成するプラスチック材料よりも低剛性のプラスチック材料にて形成するようにすることもできる。
【００６１】
・上記第５実施形態では、第１壁部５８１全体がアルミニウム合金にて形成される一方、第２壁部５８５全体がプラスチック材料にて形成されるものについて例示した。これに代えて、第１壁部を真鍮や鉄系材料にて形成するようにすることもできる。
【００６２】
・上記第６実施形態では、低剛性材料部６８６，６８７が第２壁部６８５の前後方向Ｘにおける両端部にそれぞれ形成されるハウジング６０８について例示した。しかし、本発明はこれに限られるものではなく、第１の網目状刃ブロック４或いは第２の網目状刃ブロック５の配設位置を変更した場合には、該変更後の位置に対応して上記薄肉部を形成するようにすればよい。
【００６３】
・上記第７実施形態では、高剛性材料部７８４が第１壁部７８１の幅方向Ｙにおける中央位置に１つだけ形成されるものについて例示したが、これに代えて、第１壁部の幅方向Ｙに沿って複数の高剛性材料部を形成することもできる。
【００６４】
・上記各実施形態では、第１の網目状刃ブロック４を構成する内刃部４５及び第２の網目状刃ブロック５を構成する内刃部が、幅方向Ｙにおける中央位置のみにて支持部９２により支持される構造を採用した。こうした支持構造を第３の網目状刃ブロック６を構成する内刃部或いはスリット状刃ブロックを構成する内刃部に対して適用することもできる。ただしこの場合には、これら第３の網目状刃ブロック或いはスリット状刃ブロックを構成する外刃部とその内刃部との干渉に起因して生じる高い周波数（２ｋＨｚ以上）の音圧が特に問題となる。従って、この場合には、例えば先の第２実施形態に代えて、これら第３の網目状刃ブロック或いはスリット状刃ブロックに対応する位置にも薄肉部を形成するようにすることが好ましい。また、例えば第６実施形態に代えて、これら第３の網目状刃ブロック或いはスリット状刃ブロックに対応する位置にも低剛性材料部を形成することが好ましい。
【００６５】
・上記各実施形態では、一対の第２壁部を共に同一の構造を有するものとしたが、本発明はこれに限られるものではない。例えば、一対の第２壁部のうち一方に第１実施形態にて例示した第２壁部８５を採用するとともに、他方については第２実施形態にて例示した第２壁部２８５を採用することもできる。また、他の実施形態にて例示した第２壁部の構造を適宜組み合わせることもできる。
【００６６】
・上記各実施形態では、一対の第１壁部を共に同一の構造を有するものとしたが、本発明はこれに限られるものではない。例えば、一対の第１壁部のうち一方に第３実施形態にて例示した第１壁部３８１を採用するとともに、他方については第５実施形態にて例示した第１壁部を採用することもできる。また、他の実施形態にて例示した第２壁部の構造を適宜組み合わせることもできる。
【００６７】
・本発明に係る駆動部はリニアモータ９１を備える駆動装置９に限定されない。他に例えば、回転モータを採用することもできる。この場合、回転モータの出力軸の回転を往復直線運動に変換する変換機構を採用するようにすればよい。
【００６８】
・上記各実施形態では、外刃部の内外周と内刃部の外周とが幅方向Ｙにおいて湾曲した形状を有するものについて例示したが、本発明はこれに限られるものではなく、外刃部の内外周と内刃部の外周とが幅方向Ｙに沿った、所謂ストレート型の電気かみそりに対して本発明を適用することはできる。
【００６９】
・上記各実施形態では、幅方向Ｙにおける内刃部４５の中央位置にて支持部９２により内刃部４５を支持する構成について例示したが、本発明に係る内刃部の支持構造はこれに限定されるものではなく、例えば内刃部の中央位置を挟む複数位置にて内刃部を支持するものであってもよい。要するに、内刃部を所定の自由度をもって揺動可能に支持するものであればよい。
【００７０】
・上記各実施形態では、ハウジングとして第２壁部の剛性が第１壁部の剛性よりも低くされる剛性差構造を有するものを採用することで、第２壁部の剛性を第１壁部の剛性と同一とする従来一般の構成に比較して、第２壁部を通過して伝播する低周波成分の音圧を高周波成分の音圧に対して相対的に大きくすることで、作動音に起因して使用者に与える不快感の低減を図るようにした。またこれに併せて、内刃部及び外刃部の少なくとも一方に、支持部により許容される内刃部の揺動に起因して内刃部と外刃部とが局所的に干渉する場合に生じる干渉音の圧力を低減する音圧低減部を設けることが高周波成分の音圧を低減する上で有効であることを発明者は今回見出した。ちなみにこの場合、音圧低減部としては、例えば内刃部或いは外刃部に形成されて該干渉を逃がすための逃がし部や、該干渉による衝撃力を弾性変形等を通じて吸収する吸収部、或いは該干渉による振動の伝播を弾性変形等を通じて制限する制限部を採用することが望ましい。
【符号の説明】
【００７１】
１…電気かみそり、３…ヘッド部、４…第１の網目状刃ブロック、５…第２の網目状刃ブロック、６…第３の網目状刃ブロック、７…スリット状刃ブロック、４１…外刃部、４５…内刃部、４６…刃片、４７…連結部、８，２０８，３０８，４０８，５０８，６０８，７０８…ハウジング、８１，２８１，３８１，４８１，５８１，６８１，７８１…第１壁部、８５，２８５，３８５，４８５，５８５，６８５，７８５…第２壁部、２８６，２８７…薄肉部、３８４…厚肉部、６８６，６８７…低剛性材料部、７８４…高剛性材料部、９…駆動装置、９１…リニアモータ、１０…操作スイッチ。
【図１】
2012065868.tif 000003
【図２】
2012065868.tif 000004
【図３】
2012065868.tif 000005
【図４】
2012065868.tif 000006
【図５】
2012065868.tif 000007
【図６】
2012065868.tif 000008
【図７】
2012065868.tif 000009
【図８】
2012065868.tif 000010
【図９】
2012065868.tif 000011